(57)【要約】【課題】  被写体照度が著しく低い場合でも電子ビューファインダーを通してのフレーミングを可能とする撮像装置の提供を目的とする。【解決手段】  撮像素子、撮影補助光発光手段、フレーミング可否判定手段、通常信号処理手段、フレーミング不可能時のフレーミング用信号処理手段、撮影補助光発光時の記録用信号処理手段、画像表示手段から構成され、フレーミング不可能と判定された場合に、フレーミング用信号処理手段を用いて該画表示手段への信号出力を行い、少なくともフレーミングを可能にする撮像装置。【選択図】  図１
2005303406.tif 000002
【特許請求の範囲】
【請求項１】
撮像素子、該撮像素子からの出力信号を処理する画像信号処理手段、該画像信号処理手段からの出力信号を記録する記録手段、該画像信号処理手段からの出力信号を画像として表示する表示手段、撮影補助光の発光手段、該撮影補助光の発光判定手段、記録開始トリガーを与えるトリガー手段からなり、該トリガー手段操作をしていない場合には該画像信号処理手段の画像信号処理パラメータとして通常処理用を用い、少なくとも該表示手段への出力信号を出力し、該トリガー手段を操作し撮影補助光を用いて記録動作をする場合には、該画像信号処理手段の画像信号処理パラメータとして、撮影補助光発光記録用のパラメータを用い、少なくとも該記録手段への出力信号を出力する事を特徴とする撮像装置。
【請求項２】
請求項１の撮像装置において、フレーミング可否判定手段を具備し、該フレーミング可否判定手段がフレーミング不可能と判定した場合、該画像信号処理手段の画像信号処理パラメータとしてフレーミング用を用い、少なくとも該表示手段への出力信号を出力し、該フレーミング可否判定手段がフレーミング可能と判定した場合には、該画像信号処理手段の画像信号処理パラメータとして通常処理用を用い、少なくとも該表示手段への出力信号を出力する事を特徴とする撮像装置。
【請求項３】
請求項１の撮像装置において、撮影補助光発光の動作モードとして強制発光、発光禁止、自動発光判定を持つ事を特徴とした撮像装置。
【請求項４】
請求項１の撮像装置において、撮影補助光の発光が必要であるにもかかわらず、発光禁止が設定されていた場合、警告を行う事を特徴とした撮像装置。
【請求項５】
撮像素子、該撮像素子からの出力信号を処理する第１の画像信号処理手段、該画像信号処理手段からの出力信号を記録する記録手段、該画像信号処理手段からの出力信号を表示用に処理する第２の画像処理手段、該第２の画像処理手段からの出力信号を画像として表示する表示手段、撮影補助光の発光手段、該撮影補助光の発光判定手段、記録開始トリガーを与えるトリガー手段からなり、該トリガー手段操作をしていない場合には該第１の画像信号処理手段の画像信号処理パラメータとして通常処理用を用い、少なくとも該表示手段への出力信号を出力し、該トリガー手段を操作し該撮影補助光を用いて記録動作をする場合には、該第１の画像信号処理手段の画像信号処理パラメータとして、撮影補助光発光記録用のパラメータを用い、少なくとも該記録手段への出力信号を出力する事を特徴とする撮像装置。
【請求項６】
請求項５の撮像装置において、フレーミング可否判定手段を具備し、該フレーミング可否判定手段がフレーミング不可能と判定した場合、該第２の画像信号処理手段の画像信号処理パラメータとしてフレーミング用のを用い、該表示手段への出力信号を出力し、該フレーミング可否判定手段がフレーミング可能と判定した場合には、該第２の画像信号処理手段の画像信号処理パラメータとして通常処理用を用い該表示手段への出力信号を出力する事を特徴とする撮像装置。
【請求項７】
請求項５の撮像装置において、撮影補助光発光の動作モードとして強制発光、発光禁止、自動発光判定を持つ事を特徴とした撮像装置。
【請求項８】
請求項５の撮像装置において、撮影補助光の発光が必要であるにもかかわらず、発光禁止が設定されていた場合、警告を行う事を特徴とした撮像装置。
【請求項９】
上記画像信号処理パラメータとして、センサーゲイン、絞り量、ＡＧＣゲイン、γ処理、輪郭強調ゲイン、色ゲイン、撮像素子の蓄積時間、オートホワイトバランス、カラーマトリックス、ニー補正、ブライト、コントラスト等、補正可能な処理すべてを抱合する撮像装置。
【発明の詳細な説明】
【技術分野】
【０００１】
本発明は撮像画像の確認方法に関し、特に低照度時の画像確認に関する。
【背景技術】
【０００２】
従来静止画像の撮像において、特開平６−１０５２２１に開示されているように、被写体照度が著しく低い場合、電子ビューファインダーを通しての構図の確認が出来ず、ストロボ等の補助光を用いて撮像する場合、常時照明されていないので思った様にフレーミングする事が出来なかった。
【発明の開示】
【発明が解決しようとする課題】
【０００３】
本発明は被写体照度が著しく低い場合でも電子ビューファインダーを通してのフレーミングを可能とする撮像装置の提供を目的とする。
【課題を解決するための手段】
【０００４】
本発明による撮像装置は上述した問題を解決するため、撮像レンズと撮像素子を有する撮像手段と、該撮像手段で撮像され光電変換された電気信号を演算処理しビデオ信号とするカメラ信号処理手段と、該カメラ信号処理手段により処理されたビデオ信号を記録媒体に記録する記録手段と、静止画記録トリガーに連動し撮影補助光を発光する発光手段と、ビデオ信号をリアルタイムに表示する表示手段と、一連の動作を制御する制御手段を備えたものである。この構成により、本発明の撮像装置は低照度時のフレーミングを可能にする。
【発明の効果】
【０００５】
本発明による撮像装置によれば、被写体照度が著しく低い場合でもフレーミングを可能にする。
【発明を実施するための最良の形態】
【０００６】
（実施例１）
図１は本発明の撮像装置の第１の実施例を示すものである。図１において、１０１は撮像レンズ、１０２は入射光量を制限する絞り機構部、１０３は１０２の絞り機構部を駆動する絞り駆動部、１０４はＣＣＤやＣ−ＭＯＳセンサーに代表される２次元の撮像素子、１０５は１０４の撮像素子を駆動する撮像素子駆動部、１０６は相関２重サンプリング、ＡＧＣ（Ａｕｔｏｍａｔｉｃ  Ｇａｉｎ  Ｃｏｎｔｒｏｌ）を行う前段信号処理部、１０７はアナログ信号をデジタル信号化するＡ／Ｄ変換部、１０８はデジタル化された信号を処理するカメラ信号処理部、１０９は画像データの圧縮、伸長を行う画像データ圧縮伸長部、１１０は画像データメモリー部、１１１は圧縮された画像データの記録及び再生を行う画像データ記録再生部、１１２は磁気ディスク、光ディスク、半導体メモリー等に代表される記録媒体、１１３は表示装置を駆動する表示装置駆動部、１１４は液晶やＣＲＴに代表される画像表示部、１１５はストロボ等に代表される撮影補助光発光部、１１６は１１５の撮影補助光発光部を駆動する発光駆動部、１１７は記録開始トリガースイッチ、記録、再生モードからなる記録再生切換えスイッチ、発光禁止、強制発光、自動発光判定モードからなる撮影補助光の動作モード切換えスイッチ等で構成される操作スイッチ部、１１８は１１５の撮影補助光が発光した時に被写体による撮影補助光の反射量を検出するセンサー部、１１９は一連の動作の制御を行うマイクロプロセッサユニット（ＭＰＵ）、１２０は画像データバス１、１２１は画像データバス２である。以下に図面を示しながら動作の説明を行う。１１７操作スイッチ部において、記録再生モードが記録モードに、撮影補助光モードが自動発光判定もしくは発光禁止で、被写体を撮像するのに充分な照度がある場合、１０１の撮像レンズを通った光束は１０２の絞り機構部によって適正な露出に制御され、１０４の撮像素子に入力され光電変換される。１０４の撮像素子は１０５の撮像素子駆動部によって電荷の蓄積時間が制御されている。１０６の前段信号処理部において相関２重サンプリング、利得制御を施され１０７のＡ／Ｄ変換部にてアナログ信号からデジタル信号に変換される。デジタルに変換された信号は１０８のカメラ信号処理部において、γ処理、オートホワイトバランス、輪郭強調、ニー補正等々の処理が行われる。このカメラ信号処理部に入力された信号は１１９のマイクロプロセッサユニットに伝えられ、その信号が常時適正値で入力される様、１１９のマイクロプロセッサユニットによって、前述した１０３の絞り駆動装置、１０５の撮像素子駆動部、１０６の前段信号処理部の利得がフィードバック制御される。１０８のカメラ信号処理部で信号処理された信号は記録時には１１３の表示駆動部に１２０の画像データバス１により供給され、１１４の表示装置にリアルタイムに撮像画像が表示されるのと同時に、１１７の操作スイッチ部から記録開始のトリガーが入力されると、１０９の画像データ圧縮伸長部は一度１１０の画像メモリー部に画像データをメモリーし、順次ＪＰＥＧ等の形式に圧縮して１２１の画像データバス２によって１１１の画像データ記録再生部に入力され磁気ディスク等の記録媒体１１２に圧縮画像データが記録される。１１７操作スイッチ部の記録再生モードが再生モードに設定された場合には、１１２の記録媒体から１１１の画像データ記録再生部によってデータを読み取り１２１のデータバス２から１０９の圧縮伸長部に供給され、伸長された画像データは１１０の画像メモリーにメモリーされ１２０の画像バス１により１１３の表示装置駆動部に供給され１１４の表示装置に再生画像を出画する。次に被写体の照度が充分でなく、ストロボ等の撮影補助光が必要な場合について説明する。１１７操作スイッチ部において、記録再生モードが記録モード、撮影補助光モードが自動発光判定もしくは強制発光に設定されると、本発明の撮像装置は１１９マイクロプロセッサユニットに入力される信号が適正値より小さい場合、１１９マイクロプロセッサユニットは撮影補助光の発光を設定し、１１７操作スイッチ部から記録開始トリガーが１１９マイクロプロセッサユニットに入力されると、撮像素子の蓄積開始と同期して１１９のマイクロプロセッサユニットは１１６の撮影補助光駆動部を駆動し１１５の撮影補助光を発光させる。１１８のセンサー部はその撮影補助光が被写体に反射した反射光を検出して適正量で発光を止める。ここで発光量の制御は１１５のセンサー部で検出される反射光量のみで行われるため、１０２の絞り機構部の絞り量及び、１０６前段信号処理部部のＡＧＣゲイン及び、１０４の撮像素子の蓄積時間は固定値となる。しかし、被写体照度が著しく低い場合補助光が発光するまで１１４の表示部での撮像画像の構図確認（フレーミング）が出来ない場合がある。このような場合本発明の撮像装置は１０８のカメラ信号処理部による信号処理を通常と変えて可能な限りフレーミングを優先させる信号処理を行う様、１１９のマイクロプロセッサユニットは１０８カメラ信号処理部を制御している。図２にその制御について、フローチャートを示し説明する。
【０００７】
図２のフローチャートの２０１測光演算部で被写体照度の算出を行い、２０２撮影補助光発光判定部において、撮影補助光の動作モードが判定され、自動発光判定モードで発光が必要と判定された場合、もしくは強制発光が設定されている場合、２０３のフレーミング処理判定部においてフレーミングの可否が判定され、フレーミング可能な場合、２２２撮影開始判定部３において撮影開始の判定が行われ、撮影開始でなければ、２１８通常処理部において、図１の１０８カメラ信号処理部に通常処理用パラメータが設定される。２２２撮影開始判定部３の判定が撮影開始であった場合、撮影補助光の発光準備として２１０撮影補助光発光記録優先処理部において、例えば、２１１ＡＧＣ固定、２１２輪郭補正固定、２１３色ゲイン固定等、撮影補助光発光記録用パラメータが設定され、２１４撮影補助光発光部において撮影補助光が発光し、２１５画像データ記録部において圧縮画像データの記録が行われる。２０３フレーミング処理判定部の判定がフレーミング不可能であった場合、２０４撮影開始判定部１で撮影開始が判定され、撮影開始でない場合、２０５フレーミング優先処理部において、例えば、２０６ＡＧＣゲインアップ、２０７輪郭補正強調、２０８色ゲインダウン等、フレーミング用パラメータが設定される。このフレーミング用パラメータはフレーミングに有効なものであれば、どの様な補正項目をどの様に補正しても構わない。２０４撮影開始判定部１において、撮影開始と判定された場合、前述した２１０撮影補助光発光記録優先処理部において各撮影パラメータは撮影補助光発光記録用パラメータに設定され、２１４撮影補助光発光部において撮影補助光が発光され、２１５画像データ記録部にて圧縮画像データの記録が行われる。前述の２０２撮影補助光発光判定部にて、自動発光判定モードで発光の必要無しと判定された場合、もしくは発光禁止が設定された場合、２１６フレーミング処理判別部２でフレーミングの可否が判定されフレーミングが可能であれば、２１８通常処理部において２１９ＡＧＣ、２２０輪郭補正、２２１色ゲイン補正等の各撮影パラメータが設定された後、２０９撮影開始判定部２にて撮影開始が判定され、撮影開始であれば２１５画像データ記録部にて圧縮画像データの記録が行われる。前記２１６フレーミング処理判別部２でフレーミング不可能と判定された場合、該表示装置等に撮影補助光が禁止設定されている事を２１７発光禁止警告部にて警告表示し、２１８通常処理部にて前述した処理が行われる。この時フレーミング不可能であるのに２１８通常処理部を実行するのは２１７発光禁止警告部で行われる警告と合わせて視覚的に撮影補助光の禁止設定の解除を促すためである。この後、２０９撮影開始判定部２にて撮影開始と判定されると２１５画像データ記録部で圧縮画像データが記録される。
【０００８】
（実施例２）
図３は本発明の撮像装置の第２の実施例を示すものである。構成としては第１の実施例に対し、本実施例では３０１ファインダー用画像信号処理部が追加されている。１１７操作スイッチ部の記録再生モードが再生モードに設定された場合の再生動作は、第１の実施例と同じである。被写体を撮像するのに充分な照度があり、１１７操作スイッチ部の記録再生モードが、記録モードに設定され、撮影補助光モードが自動発光判定もしくは発光禁止に設定された場合の動作についても実施例１と同じである。次に被写体の照度が充分でなく、ストロボ等の撮影補助光が必要な場合について説明する。１１７操作スイッチ部で設定された撮影補助光の動作モードが、自動発光判定モードで、第１の実施例と同様に、１１９マイクロプロセッサユニットが発光が必要と判定した場合、もしくは強制発光モードが設定された場合、本実施例によればフレーミング可否の判定を行い、フレーミング不可能であれば、１２０画像データバス１から３０１ファインダー用画像処理部に入力された画像データは記録用の画像データとは別に、ファインダー表示用にブライト、コントラスト、色ゲイン等々のパラメータにより、少なくともフレーミングが可能になる様に処理され、１１３の表示装置駆動部に供給され１１４の表示装置から撮像画像をリアルタイムに出画される。図４にそのフローチャートを示し説明する。
【０００９】
図４のフローチャートの２０１測光演算部で被写体照度の算出を行い、２０２撮影補助光発光判定部において、撮影補助光の動作モードが判定され、自動発光判定モードで発光が必要と判定された場合、もしくは強制発光が設定されている場合、２０３のフレーミング処理判定部においてフレーミングの可否が判定され、フレーミング可能な場合、２０４撮影開始判定部１において撮影開始の判定が行われ、撮影開始でなければ前述した２１８通常処理部において通常処理用パラメータが設定される。２０４撮影開始判定部１の判定が撮影開始であった場合、撮影補助光の発光準備として２１０撮影補助光発光記録優先処理部において、２１１ＡＧＣ固定、２１２輪郭補正固定、２１３色ゲイン固定等、撮影補助光発光記録用のパラメータが設定され、２１４撮影補助光発光部において撮影補助光が発光し、２１５画像データ記録部において圧縮画像データの記録が行われる。前述の２０３フレーミング処理判定部の判定がフレーミング不可能であった場合、４０１ファインダー用フレーミング優先画像信号処理部において、例えば、４０２ブライト、４０３コントラスト、２０８色ゲインダウン等、フレーミング用のパラメータが設定される。このフレーミング用パラメータはフレーミングに有効なものであれば、どの様な補正項目をどの様に補正しても構わない。２０４撮影開始判定部１において、撮影開始と判定された場合、前述した２１０撮影補助光発光記録優先処理部において各撮影パラメータは撮影補助光発光記録用パラメータに設定され、２１４撮影補助光発光部にて撮影補助光が発光され、２１５画像データ記録部にて圧縮画像データの記録が行われる。前述の２０２撮影補助光発光判定部において撮影補助光の発光が必要無し、もしくは発光禁止と判定された場合、２１６フレーミング可否判別部２において、フレーミング可能と判定されると、２１８通常処理部において２１９ＡＧＣ、２２０輪郭補正、２２１色ゲイン補正等の通常処理用パラメータが設定された後、２０９撮影開始判定部２にて撮影開始が判定され、撮影開始であれば２１５画像データ記録部にて圧縮画像データの記録が行われる。前述の２１６フレーミング処理判別部２でフレーミング不可能と判定された場合、図３の１１４表示装置等に撮影補助光が禁止設定されている事を２１７発光禁止警告部にて警告表示し、２１８通常処理部にて前述した処理が行われる。この時フレーミング不可能であるのに２１８通常処理部を実行するのは、２１７発光禁止警告部で行われる警告と合わせて視覚的に撮影補助光の禁止設定の解除を促すためである。この後２０９撮影開始判定部２にて撮影開始が判定され、撮影開始であれば２１５画像データ記録部にて圧縮画像データの記録が行われる。
【図面の簡単な説明】
【００１０】
【図１】実施例１の撮像装置のシステム構成図である。
【図２】実施例１の撮像装置の動作フローチャートである。
【図３】実施例２の撮像装置のシステム構成図である。
【図４】実施例２の撮像装置の動作フローチャートである。
【符号の説明】
【００１１】
１０１  撮像レンズ
１０２  絞り機構部
１０３  絞り機構駆動部
１０４  撮像素子
１０５  撮像素子駆動部
１０６  前段信号処理部
１０７  Ａ／Ｄ変換部
１０８  カメラ信号処理部
１０９  画像データ圧縮伸長部
１１０  画像メモリー
１１１  画像データ記録再生部
１１２  記録媒体
１１３  表示装置駆動部
１１４  表示装置
１１５  撮影補助光発光部
１１６  撮影補助光発光駆動部
１１７  操作スイッチ部
１１８  センサー部
１１９  マイクロプロセッサユニット
１２０  画像データバス１
１２１  画像データバス２
２０１  測光演算部
２０２  撮影補助光発光設定判別部
２０３  フレーミング処理判別部１
２０４  撮影開始判定部１
２０５  フレーミング優先処理部
２０６  フレーミング優先処理１
２０７  フレーミング優先処理２
２０８  フレーミング優先処理３
２０９  撮影開始判定部２
２１０  撮影補助光発光記録優先処理部
２１１  記録優先処理１
２１２  記録優先処理２
２１３  記録優先処理３
２１４  撮影補助光発光部
２１５  画像データ記録部
２１６  フレーミング処理判別部２
２１７  発光禁止設定警告部
２１８  通常処理部
２１９  通常処理１
２２０  通常処理２
２２１  通常処理３
２２２  撮影開始判定部３
３０１  ファインダー用信号処理部
４０１  ファインダー用フレーミング優先画像信号処理部
４０２  フレーミング優先画像処理１
４０３  フレーミング優先画像処理２
４０４  フレーミング優先画像処理３
【図１】
2005303406.tif 000003
【図２】
2005303406.tif 000004
【図３】
2005303406.tif 000005
【図４】
2005303406.tif 000006